【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
多孔性金属含有材料を製造するためのプロセスであって、以下の工程：
ａ）少なくとも１つの溶媒中に分散された粒子からなる組成物を提供する工程であって、該粒子が少なくとも１つのポリマー材料および少なくとも１つの金属ベース化合物を含む工程；
ｂ）前記組成物から前記溶媒を実質的に除去する工程；
ｃ）前記ポリマー材料を実質的に分解し、これによって前記溶媒を含まない粒子を多孔性金属含有材料へと変換する工程；
からなるプロセス。
【請求項２】
前記粒子がポリマーカプセル封入された金属ベース化合物の少なくとも１つ、少なくとも１つの金属ベース化合物により少なくとも部分的にコーティングされているポリマー粒子、またはそれらの任意の混合物を含む、請求項１に記載のプロセス。
【請求項３】
前記粒子が溶媒ベースの重合反応において作製される、請求項１に記載のプロセス。
【請求項４】
前記粒子が、ポリマーのシェルまたはカプセル中にカプセル封入された少なくとも１つの金属ベース化合物を含み、そして該粒子が以下の工程：
ａ）少なくとも１つの溶媒中に、少なくとも１つの重合可能な成分の乳化物、懸濁物または分散物を提供する工程；
ｂ）前記乳化物、懸濁物または分散物に少なくとも１つの金属ベース化合物を加える、工程；
ｃ）前記少なくとも１つの重合可能な成分を重合し、これによって前記ポリマーカプセル封入された金属ベース化合物を形成する工程；
により調製される、請求項１〜３のいずれか１項に記載のプロセス。
【請求項５】
前記粒子が金属ベース化合物でコーティングされたポリマー粒子を含み、そして該粒子が、以下の工程：
ａ）少なくとも１つの溶媒中に少なくとも１つの重合可能な成分の乳化物、懸濁物または分散物を提供する工程；
ｂ）前記少なくとも１つの重合可能な成分を重合し、これによってポリマー粒子の乳化物、懸濁物または分散物を形成する工程；
ｃ）前記乳化物、懸濁物または分散物に少なくとも１つの金属ベース化合物を加え、これによって該金属ベース化合物によりコーティングされたポリマー粒子を形成する工程；
により調製される、請求項１〜３のいずれか１項に記載のプロセス。
【請求項６】
前記少なくとも１つの重合可能な成分が、モノマー、オリゴマーまたはプレポリマー、またはそれらの混合物を含む、請求項４または５に記載のプロセス。
【請求項７】
前記溶媒を実質的に除去する工程が、前記粒子を乾燥させる工程を含む、請求項１〜６のいずれか１項に記載のプロセス。
【請求項８】
前記乳化物、懸濁物または分散物が少なくとも１つの界面活性剤を含む、請求項４〜６のいずれか１項に記載のプロセス。
【請求項９】
前記少なくとも１つの界面活性剤がアニオン性界面活性剤、カチオン性界面活性剤、非イオン性界面活性剤、または双生イオン性界面活性剤、またはそれらの混合物から選択される、請求項８に記載に記載のプロセス。
【請求項１０】
前記少なくとも１つの金属ベース化合物が、０価の金属、金属合金、金属酸化物、無機金属塩、有機金属塩、アルカリ金属塩もしくはアルカリ土類金属塩、遷移金属塩、有機金属化合物、金属アルコキシド、金属アセテート、金属ニトレート、金属ハライド、半導体金属化合物、金属カーバイド、金属ニトリド、金属オキシニトリド、金属カルボニトリド、金属オキシカーバイド、金属オキシニトリド、金属オキシカルボニトリド；金属ベースのコア−シェルナノ粒子、金属含有面体内フラーレン、または金属内包フラーレンのうちの少なくとも１つを含む、請求項１〜９のいずれか１項に記載のプロセス。
【請求項１１】
前記少なくとも１つの金属ベース化合物が、ナノ結晶粒子、ミクロ結晶粒子またはナノワイヤーのうちの少なくとも１つの形態である、請求項１０に記載のプロセス。
【請求項１２】
前記少なくとも１つの金属ベース化合物が、コロイド状粒子の少なくとも１つの形態、または前記少なくとも１つの金属ベース化合物のゾルの形態である、請求項１〜１１のいずれか１項に記載のプロセス。
【請求項１３】
前記少なくとも１つの金属ベース化合物が約０．７ｎｍ〜８００ｎｍである平均粒子サイズを有する、請求項１〜１２のいずれか１項に記載のプロセス。
【請求項１４】
前記ポリマー材料が、ポリアクリル酸、ポリメタクリル酸、ポリメチルメタクリル酸（ＰＭＭＡ）、不飽和ポリエステル、飽和ポリエステル、ポリオレフィン、ポリエチレン、ポリプロピレン、ポリブチレン、アルキド樹脂、エポキシポリマー、エポキシ樹脂、ポリアミド、ポリイミド、ポリエーテルイミド、ポリアミドイミド、ポリエステルイミド、ポリエステルアミドイミド、ポリウレタン、ポリカルボナート、ポリスチレン、ポリフェノール、ポリビニルエステル、ポリシリコーン、ポリアセタール、酢酸セルロース、ポリ塩化ビニル、ポリ酢酸ビニル、ポリビニルアルコール、ポリスルホン、ポリフェニルスルホン、ポリエーテルスルホン、ポリケトン、ポリエーテルケトン、ポリベンズイミダゾール、ポリベンズオキサゾール、ポリベンズチアゾール、ポリフルオロカーボン、ポリフェニレンエーテル、ポリアリラート、シアナトエステル−ポリマー、またはこれらの任意のコポリマーのうちの少なくとも１つを含む、請求項１〜１３のいずれか１項に記載のプロセス。
【請求項１５】
前記ポリマー材料が弾性ポリマー材料を含み、該弾性ポリマー材料が、ポリブタジエン、ポリイソブチレン、ポリイソプレン、ポリ（スチレン−ブタジエン−スチレン）、ポリウレタン、ポリクロロプレン、またはシリコーン、またはこれらの任意のコポリマーのうちの少なくとも１つを含む、請求項１〜１３のいずれか１項に記載のプロセス。
【請求項１６】
前記ポリマー材料が適切なモノマー、オリゴマーまたはそれらのプレポリマーから調製される、請求項１４または１５に記載のプロセス。
【請求項１７】
前記金属ベース化合物が、有機材料の複数のシェルまたは層のうちの少なくとも１つの中にカプセル封入される、請求項１〜１６のいずれか１項に記載のプロセス。
【請求項１８】
少なくとも１つのさらなる添加物が前記組成物に添加される、請求項１に記載のプロセス。
【請求項１９】
前記少なくとも１つのさらなる添加物が、充填剤、酸、塩基、架橋剤、細孔形成剤、可塑剤、潤滑剤、難燃剤、ガラスもしくはガラスファイバー、カーボンファイバー、綿、織物、金属粉、金属化合物、ケイ素、酸化ケイ素、ゼオライト、酸化チタン、酸化ジルコニウム、酸化アルミニウム、ケイ酸アルミニウム、滑石、黒鉛、すす、フィロケイ酸塩、生物学的に活性な化合物、または治療活性な化合物のうちの少なくとも１つを含む、請求項１８に記載のプロセス。
【請求項２０】
前記ポリマー材料を分解する工程が、約２０℃〜約４０００℃の温度での熱処理を含む、請求項１〜１９のいずれか１項に記載のプロセス。
【請求項２１】
前記熱処理が減圧または真空のうちの少なくとも１つの下で実施される、請求項２０に記載のプロセス。
【請求項２２】
前記熱処理が、少なくとも１つの不活性ガス雰囲気下または少なくとも１つの反応性ガスの存在下で実施される、請求項２０に記載のプロセス。
【請求項２３】
前記組成物が前記ポリマー材料を実質的に分解する前に基材に塗布されるかまたは成型される、請求項１〜２２のいずれか１項に記載のプロセス。
【請求項２４】
請求項１〜２３のいずれか１項のプロセスによって得ることのできる、多孔性金属含有材料。
【請求項２５】
前記材料がコーティングの形態である、請求項２４に記載の金属含有材料。
【請求項２６】
前記材料がバルクの材料の形態である、請求項２４に記載の金属含有材料。
【請求項２７】
前記材料が生理学的流体の存在下で生体浸食特性を有する、請求項２４に記載の金属含有材料。
【請求項２８】
前記材料が生理学的流体の存在下で少なくとも部分的に溶解性である、請求項２４に記載の金属含有材料。
【請求項２９】
約１ｎｍ〜約４００μｍの平均細孔サイズを有する、請求項２４〜２８のいずれか１項に記載の金属含有材料。
【請求項３０】
約３０％〜約８０％の平均間隙率を有する、請求項２４〜２９のいずれか１項に記載の金属含有材料。
【請求項３１】
請求項２４〜３０のいずれか１項に記載の材料を含む、医療インプラントデバイス。